(57)【特許請求の範囲】
【請求項１】
合成樹脂からなる管路を挟持して管路外周面に取り付けられると共に、該管路外周面に臨む取り付け穴を備えた挟持具と、上記取り付け穴に気密に取り付けられる穿孔・注入具とからなり、該穿孔・注入具は、上記取り付け穴への取り付け操作によって管路を穿孔する穿孔刃と、該穿孔刃の先端開口に連通する流入路と、該流入路を開閉するバルブと、該流入路に遮断材注入手段を接続する接続部とからなり、
上記穿孔刃は、円筒状体において周面の対向する２箇所に側面視方形状の切り欠き状の間隙が形成されることで、回転軸に対して互いに点対称な形状を有する二本の刃先を設け、
一方の刃先の穿孔方向側端部が、一方の間隙から他方の間隙までの全区間で穿孔方向と逆側に傾斜し、他方の刃先の穿孔方向側端部が、上記他方の間隙から上記一方の間隙までの全区間で穿孔方向と逆側に傾斜し、
上記円筒状体の内側と上記切り欠き状の間隙とによって上記先端開口が構成され、
上記刃先の穿孔方向側端部は鋭利に形成されることを特徴とするガス管路遮断治具。
【請求項２】
合成樹脂からなる埋設管路の外周を部分的に露出させる掘削穴を形成し、該掘削穴内で、管路外周面に挟持具を取り付け、該挟持具の上記管路外周面に臨む取り付け穴に、
円筒状体において周面の対向する２箇所に側面視方形状の切り欠き状の間隙が形成されることで、回転軸に対して互いに点対称な形状を有する二本の刃先が設けられ、一方の刃先の穿孔方向側端部が、一方の間隙から他方の間隙までの全区間で穿孔方向と逆側に傾斜し、他方の刃先の穿孔方向側端部が、上記他方の間隙から上記一方の間隙までの全区間で穿孔方向と逆側に傾斜し、上記円筒状体の内側と上記切り欠き状の間隙とによって先端開口が構成され、上記刃先の穿孔方向側端部が鋭利に形成される穿孔刃を有する穿孔・注入具を取り付け、
該穿孔・注入具内の流入路を閉止した状態で、先端の穿孔刃にて管路を穿孔し、上記流入路を開放した後、該流入路に接続した遮断材注入手段を作動させて、上記穿孔刃の先端開口から遮断材を注入することで、上記埋設管路内に遮断材を充填させることを特徴とするガス管路遮断工法。
【請求項３】
上記流入路に、遮断材の注入状況を検出する検出手段が接続され、該検出手段からの検出信号に基づいて、上記注入手段から上記埋設管内に注入される遮断材の注入量を制御することを特徴とする請求項２に記載のガス管路遮断工法。
【発明の詳細な説明】
【０００１】
【発明の属する技術分野】
本発明は、ガス管路の遮断に適用され、特に、ＰＥ管等の合成樹脂管に対して適したガス管路遮断治具及びガス管路遮断工法に関する。
【０００２】
【従来の技術】
家屋の建て替え等に伴い行われる地境切断工事は、敷地内での掘り起こし作業時に敷地境界付近でガス管路が破損され、ガス放出やそれに伴う火災等の事故が発生することを防止するために、道路と敷地（民地）との境界でガス管路を切断し、上流側である道路側のガス管路端部を遮断する工事であって、道路と敷地の境界線付近の敷地側に掘削穴を形成し、この掘削穴内でガス管路を切断すると共に管路遮断を行うものである。
【０００３】
従来、上記の工事を行う際の工法としては、ガス管が比較的細径の鋼管の場合には、スクイズ遮断によって管路の遮断を行うと同時に切断することで、ノーブロー工事を行う工法が採用され、ガス管がＰＥ管等の合成樹脂管の場合には、油圧スクイズ装置によって管路遮断を行い、この下流側をＰＥ管切断機で切断した後、切断開口を端部処置用メカニカル継手より封止処理する工法が採用されている。また、１００Ａ以上の鋼管や鋳鉄管の場合には、掘削穴内で管路に穿孔し、この孔からバルーン等の遮断部材を挿入した後、下流側を切断する工法が採用されている。
【０００４】
【発明が解決しようとする課題】
上記のような工事では、管路からのガス噴出を極力少なくした工事を行おうとすると、油圧スクイズ装置や専用のノーブロー治具を設置するための作業スペースが必要となる。しかしながら、上述の境地切断工事では、作業現場がブロック塀の基礎や植木等の存在する狭隘領域であることが多く、また、敷地内の地下においては、給水管等の他の埋設物も存在することから、作業のための十分なスペースを確保することが困難な場合が多い。このような場合には、特別な処置を施さず掘削穴内で管路の切断を行う、いわゆるブロー工事がなされているが、こうしたガスの噴出を伴う作業では、作業者が酸欠を起こしたり、火気が引火して火災事故が発生する等、保安面での問題がある。
【０００５】
特に、合成樹脂管を対象とした工事では、管径が大きくなると大出力の油圧スクイズ装置が必要となって、大型の装置を配備するための大きな掘削穴を掘る必要があるが、上述の狭隘領域ではそのようなスペースを確保できない問題がある。また、合成樹脂管ではスクイズを解放すると管路が復元して切断開口が開いてしまうことから、完全なノーブロー工事を行うことができないという問題もある。
【０００６】
本発明は、このような事情に対処するために提案されたものであって、スクイズ装置やノーブロー治具の設置スペースが確保できない狭隘領域であっても作業が可能であり、簡単な作業で完全なノーブロー工事を行うことが可能な、ガス管路遮断治具及びガス管路遮断工法を提供することを目的とするものである。
【０００７】
【課題を解決するための手段】
上記目的を達成するために、本発明のガス管路遮断治具は、以下の特徴を備える。
【０００８】
請求項１の発明として、合成樹脂からなる管路を挟持して管路外周面に取り付けられると共に、該管路外周面に臨む取り付け穴を備えた挟持具と、上記取り付け穴に気密に取り付けられる穿孔・注入具とからなり、該穿孔・注入具は、上記取り付け穴への取り付け操作によって管路を穿孔する穿孔刃と、該穿孔刃の先端開口に連通する流入路と、該流入路を開閉するバルブと、該流入路に遮断材注入手段を接続する接続部とからなり、上記穿孔刃は、円筒状体において周面の対向する２箇所に側面視方形状の切り欠き状の間隙が形成されることで、回転軸に対して互いに点対称な形状を有する二本の刃先を設け、一方の刃先の穿孔方向側端部が、一方の間隙から他方の間隙までの全区間で穿孔方向と逆側に傾斜し、他方の刃先の穿孔方向側端部が、上記他方の間隙から上記一方の間隙までの全区間で穿孔方向と逆側に傾斜し、上記円筒状体の内部空間と上記切り欠き状の間隙とによって上記先端開口が構成され、上記刃先の先端は鋭利に形成されることを特徴とする。
また、上記のガス管路遮断治具を用いたガス管路遮断工法として、以下の特徴を具備する。
【００１１】
請求項２の発明として、合成樹脂からなる埋設管路の外周を部分的に露出させる掘削穴を形成し、該掘削穴内で、管路外周面に挟持具を取り付け、該挟持具の上記管路外周面に臨む取り付け穴に、円筒状体において周面の対向する２箇所に側面視方形状の切り欠き状の間隙が形成されることで、回転軸に対して互いに点対称な形状を有する二本の刃先が設けられ、一方の刃先の穿孔方向側端部が、一方の間隙から他方の間隙までの全区間で穿孔方向と逆側に傾斜し、他方の刃先の穿孔方向側端部が、上記他方の間隙から上記一方の間隙までの全区間で穿孔方向と逆側に傾斜し、上記円筒状体の内部空間と上記切り欠き状の間隙とによって上記先端開口が構成され、上記刃先の先端は鋭利に形成される穿孔刃を有する穿孔・注入具を取り付け、該穿孔・注入具内の流入路を閉止した状態で、先端の穿孔刃にて管路を穿孔し、上記流入路を開放した後、該流入路に接続した遮断材注入手段を作動させて、上記穿孔刃の先端開口から遮断材を注入することで、上記埋設管路内に遮断材を充填させることを特徴とする。
【００１２】
請求項３の発明として、上記ガス管路遮断工法において、上記流入路に、遮断材の注入状況を検出する検出手段が接続され、該検出手段からの検出信号に基づいて、上記注入手段から上記埋設管内に注入される遮断材の注入量を制御することを特徴とする。
【００１３】
これらの特徴による作用は以下のとおりである。
【００１４】
請求項１又は２の発明では、合成樹脂からなる管路を挟持具で挟持して治具を管路に取り付け、挟持具に設けた取り付け穴に穿孔・注入具を取り付ける。この穿孔・注入具には、先端に穿孔刃が設けられ、この穿孔刃の先端開口に連通する流入路が内部に形成されており、この流入路を開閉するバルブが設けられている。穿孔・注入具を挟持具の取り付け穴に穿孔刃から挿入し、更にねじ込み又は圧入することで、穿孔刃が管路に孔を形成し、穿孔刃の先端が管路内に進入する。この状態では、管路内のガスは穿孔刃に形成された開口から流入路内に流入するが、流入路はバルブによって閉止されているので、外部にガスが漏れ出ることはない。そして、穿孔・注入具の基端側に設けられた接続部にグリス等の遮断材注入手段を連結し、その後、穿孔・注入具のバルブを開放して、遮断材注入手段を操作することで、遮断材が流入路を介して管路内に流入され、遮断材が管路内の所定領域に充填されるとガス管路の遮断が完了する。
ここで、上記穿孔刃は、刃先の間の側面に形成された切り欠き状の間隙で先端開口が構成されているので、合成樹脂管路を穿孔した場合に、切り取られた穿孔片が刃先の間に挟まって管路内に落下せず、また、穿孔片が刃先に挟まったとしても、この間隙は上記流入路と連通しているので、流入路の先端が詰まることはない。さらに、上記穿孔刃は、刃先が二点の鋭利な先端を備え、その刃先形状が軸中心に対して点対称に形成されていることから、まず、刃先の先端が管路の表面に刺さり、引き続くねじ込みによって穿孔がなされるので、大きな力を加えることなくスムースな穿孔が可能となる。
【００１７】
また、請求項３の発明では、請求項２の発明における作用と併せて、管路内に充填する遮断材の注入量を管径に応じた適量に制御することができるので、管路の遮断箇所が分岐箇所の近傍であっても分岐基の管（本支管等）を塞いでしまう不都合が生じない。
【００１８】
【発明の実施の形態】
以下、本発明の実施例を図面を参照して説明する。図１は、本発明の一実施例に係るガス管路遮断治具の全体構成を示す説明図であり、図２は、その部分断面図である。これらの図において、１は挟持具、２は穿孔・注入具、３は遮断材注入手段としてのグリス注入ポンプ、４は接続ホースを示している。
【００１９】
図１において、挟持具１は、クランプハンドル１０と挟持体１１，１１とからなる。クランプハンドル１０は挟持具１の挟持操作を手動で行うためのものであり、挟持した状態を保持するためのロック機構及びロック解除機構を備えている。挟持体１１，１１は対象となる合成樹脂管の管路外周を挟むために半円筒状に分割された部材であって、一方の分割片に取り付け部１１ａが形成されている。この挟持体１１に形成された取り付け部１１ａには、穿孔・注入具２が取り付けられ、この穿孔・注入具２の接続部２０にはグリス注入ポンプ３に接続する接続ホース４が連結されている。２１はバルブ部で、２１ａはバルブコックを示している。
【００２０】
図２において更に詳細に説明すると、挟持体１１の一方片に形成される取り付け部１１ａは、挿入穴１２と取り付け穴１３とからなり、取り付け穴１３が挟持体１１の内面、つまり、挟持体１１が管路を挟持した際の管路外周面に臨むように形成されている。そして、この取り付け部１１ａに取り付けられる穿孔・注入具２は、上述の接続部２０、バルブ部２１、取り付け部２２、穿孔刃２３とからなる。
【００２１】
接続部２０は、上記の接続ホース４の接続端を接続するための部位で、気密な接続が可能な各種の接続形態（ねじ結合等）で構成される。バルブ部２１は、バルブ体２１ｂとそれを手動で開閉操作するバルブコック２１ａとからなる。取り付け部２２は、上述した挟持体１１の挿入穴１２に挿入される部位で、レンチ受け２２ａと気密封止のためのＯリング２２ｂが設けられる。穿孔刃２３は、先端に二股の刃が形成され、二股の刃の間に先端開口２３ａが形成されると共に上述の取り付け穴１３と螺合するためのねじ部２３ｂが形成されている。そして、穿孔・注入具２の内部には、接続部２０からバルブ体２１ｂを介して先端開口２３ａに連通する流入路２４が形成されている。
【００２２】
図３は、上述の穿孔刃２３の形態を示す側面図（ａ），（ｂ）及び底面図（ｃ）である。この穿孔刃２３の先端に形成される刃先２３ｃは、二股形状で且つ二点の鋭利な先端が軸中心に対して点対称な形状をしており、刃先２３ｃの間の側面に切り欠き状の間隙が形成されている。そしてこの間隙で流入路２４に連通する先端開口２３ａは構成されている。このような形態の刃先２３ｃによると、合成樹脂管路を穿孔した場合に、切り取られた穿孔片が刃先２３ｃの間に挟まって管路内に落下しない。また、穿孔片が刃先２３ｃに挟まったとしても、刃先２３ｃ間の間隙で先端開口２３ａが構成されているので、流入路２４の先端が詰まることがない。更には、刃先２３ｃの先端が合成樹脂管路の表面に刺さり、引き続くねじ込みによって穿孔がなされるので、大きな力を加えることなくスムースな穿孔が可能となる。
【００２３】
上述した実施例のガス管路遮断治具の作用について説明する。挟持具１のクランプハンドル１０を作業者が操作して、ＰＥ管等の合成樹脂管路を挟持具１で挟持してガス管路遮断治具を管路に取り付け固定する。クランプハンドル１０は周知の機構が適用できるが、挟持具１で管路を挟持させた状態でロックされ、作業後に容易にロックが解除できる機構が適する。挟持具１の挟持体１１は、作業対象となる管路の外径に合わせた内径を形成する円筒状の分割片からなるが、ガス管路として用いられているＰＥ管は２５〜２００ｍｍと径が多様であるので、挟持体１１の内径を、対象とする管路の最大径に形成しておき、挟持体１１内に所定厚の半円筒部材をアダプタとして装着することで、多様な管径に対応できるものとすることができる。
【００２４】
管路に挟持された挟持具１の取り付け部１１ａには、その取り付け穴１３に穿孔刃２３のねじ部２３ｂが螺合し、挿入穴１２に取り付け部２２が挿入されることで、穿孔・注入具２が取り付けられる。取り付け部２２はＯリング２２ｂを備えるので、挿入穴１２に取り付け部２２は気密に取り付けられる。穿孔・注入具２は、バルブコック２１ａを操作してバルブ体２１ｂを閉止状態にして、更にねじ込むことで、穿孔刃２３の先端に形成された刃先２３ｃで管路を穿孔する。この際、刃先２３ｃは上述のように二股形状で且つ軸中心に対して点対称な形状をしているので、穿孔時に生じる穿孔片（切りかす）は刃先２３ｃ間に挟まって管路内には落下しない。
【００２５】
穿孔刃２３が管路を穿孔し、その先端開口２３ａが管路に進入したことを確認して、穿孔・注入具２の接続部２０に接続ホース２０を接続し、バルブコック２１ａを操作してバルブ体２１ｂを開放した後、グリス注入ポンプ３を操作して穿孔・注入具２内の流入路２４にグリスを流入させる。グリスは先端開口２３ａから管路内に流入されるが、この先端開口２３ａは、二股の刃先２３ｃ間の間隙より構成されて、穿孔片が刃先２３ｃ間に挟まった状態でも十分な開口を確保し、グリスの注入時にも挟まった穿孔片を押し出さないように形成している。
【００２６】
管路内へのグリスの注入量は、グリス注入ポンプ３或いはバルブコック２１の操作によって調整されるが、管路に充填されてガスの遮断が達成できる必要最低限の量でよく、この量は、管路の軸方向に数センチ幅のグリスが充填される程度でよい。
【００２７】
本発明は、上述した実施例に限定されるものではなく、各種の実施形態が可能である。挟持具１については、管路を挟持して治具を固定できるものであればよく、従って、例えば図４に示すように、挟持体１１をヒンジ部１４で連結し、管路を挟持して固定するための弾性クリップ１５を備える構造としてもよい。弾性クリップ１５は周知の機構であって、挟持体１１の一方側（図面で下側）にフック１５ａを設け、挟持体１１の他方側に操作部材１５ｂを軸着し、この操作部材１５ｂの長穴に取り付けた引っ掛けリング１５ｃをフック１５ａに引っ掛けて、操作部材１５ｂを挟持体１１側に回動操作することで、弾性的且つ強固な固定がなされる。取り外し時には、操作部材１５ｂを逆に回動すると引っ掛けリング１５ｃがフック１５ａから外れて、挟持体１１，１１を開放する。これによると、クリップハンドル１０は不要であって、治具をよりコンパクト化することが可能であるから、狭隘箇所での作業により適する。
【００２８】
穿孔・注入具２については、バルブ部２１を電磁バルブで形成し、流入路２４に連通するセンサを設けて、管路へのグリスの充填状態をセンサで検出してバルブ部２１を作動させる構成にしてもよく、また、グリス注入ポンプ３を制御可能な電動ポンプとして、上述のセンサからの信号により作動を停止させる構成にしてもよい。このようにすることで、管径に応じて適量のグリスを管内に充填させることが可能になる。更に、上述の実施例では、穿孔・注入具２をレンチ等の手動でねじ込む構成にしていたが、接続部２０の形態を可搬式電動機との接続を兼用する構造にし、接続ホース４を接続する前に可搬式電動機を接続部２０に接続して回動させることで、ねじ込みによる穿孔を電動で行うことも可能である。また、穿孔・注入具２の挟持具１への取り付けは、上述のねじ込みだけでなく圧入によることも可能である。更には、上記の実施例では、遮断材としてグリスを例に説明しているが、本発明はこれに限定されるものではなく、グリスに換えて発泡剤や充填硬化剤等の代替材の使用も考えられる。
【００２９】
以下に、上述したガス管路遮断治具を用いたガス管路遮断工法について、地境切断工事を例に説明する。図５において、家屋の建て替え工事が行われる敷地と道路との境界線の敷地側に掘削穴Ａを形成し、その掘削穴Ａ内に作業の対象となる管路Ｂの一部を露出させる（イ）。そして、掘削穴Ａ内で、管路Ｂの外周に上述の挟持具１を挟持させて固定し、その取り付け部１１ａに穿孔・注入具２を取り付ける。そして、上述したように穿孔・注入具２のバルブ部２１を閉止させた状態で、穿孔・注入具２を手動又は電動機等により更にねじ込んで管路Ｂを穿孔させ、穿孔・注入具２の先端開口２３ａを管路Ｂ内に進入させる（ロ）。
【００３０】
この状態では、管路Ｂに形成された穿孔は治具の封止作用によって封止されているので、ガスが周辺に漏れ出ることはない。そして、穿孔・注入具２の接続部２０にグリス注入ポンプ３に連通する接続ホース４を接続し、引き続いて穿孔・注入具２のバルブ部２１を開放し、グリス注入ポンプ３を作動させて管内にグリスを充填させる（ハ）。
【００３１】
この際のグリス注入量は作業対象の管路径によって異なるが、その量はある程度正確に設定しておく必要がある。これは、道路側の管路において、道路と敷地の境界近傍に分岐基の本支管が存在している場合があり、過量のグリスを注入すると、この本支管にグリスが注入されて本支管を塞いでしまう虞があるからである。メイン管である本支管にグリスが注入されて塞がれると、周辺地域へのガス供給に支障が発生すると共に、後日の新管接続時の復帰作業に大変な労力を要するので、この事態は極力避ける必要がある。したがって、グリスの注入量は対象管路に応じて設定した量を精度良く注入するか、或いは、上述したようなセンサを設けて、対象管路への充填が完了した時点でバルブ部２１を閉止するか或いはグリス注入ポンプ３の作動を停止するような制御手段を設けることが望ましい。
【００３２】
図６は、グリス注入ポンプ３を電動式にした場合の注入量制御手段の一例を示す説明図である。ここでは、グリス注入ポンプ３は電動モータ６０によって作動され、この電動モータ６０は、スイッチ６０ａがＯＮになると、検出部６３，制御部６４によって制御された電力供給部６２からの供給電力に応じて動作する。
【００３３】
電力供給部６２は、電源６１からの電力を可変制御して電動モータ６０に供給するものである。検出部６３は穿孔・注入具２における流入路２４に接続され、遮断材の注入状況を検出するもので、注入量，流量，充填圧等が検出対象となる。
【００３４】
制御部６４は、口径切換ＳＷ６４ａによって設定された管路の口径別の注入量設定値と検出部６３からの検出値によって電力供給部６２を制御するものである。これによると、電動モータ６０のスイッチ６０ａがＯＮされて、口径切換ＳＷ６４ａが設定されると、その設定値に対応した検出部からの検出値が得られた時点で、電動モータ６０への電力供給が停止され、グリス注入ポンプ３が作動停止するものである。
【００３５】
管路内にグリスが充填され、ガス管路の遮断が完了すると、ガス管路遮断治具を管路から取り外して、遮断箇所の下流側を切断する（図５（ニ））。そして、切断した管路の上流側開口をメカニカル継手Ｄで封止し、敷地側の配管を撤去する（図５（ホ））。
【００３６】
このように、上述のガス管路遮断治具を用いた工法では、狭隘部での作業が可能であり、しかも合成樹脂管に対して完全なノーブロー工事を施工することが可能になる。
【００３７】
【発明の効果】
本発明は上記のように構成されるので、地境切断工事等において行われる管路の遮断に際して、挟持具が管路を挟持するスペースが確保できれば作業が可能であるから、狭隘部での作業が可能になる。また、挟持具に穿孔・注入具を螺合させて遮断材を注入させるという簡単な作業であるから、容易に管路の遮断作業が完了する。しかも、合成樹脂管路等に対して完全なノーブロー工事を行うことが可能になるので、保安面での問題を解消できる。
【図面の簡単な説明】
【図１】本発明の一実施例に係るガス管路遮断治具の全体構成を示す説明図。
【図２】本発明の一実施例に係るガス管路遮断治具の部分断面図。
【図３】本発明の一実施例に係るガス管路遮断治具の穿孔刃の形態を示す説明図。
【図４】本発明の他の実施例を示す説明図。
【図５】本発明の実施例に係るガス管路遮断工法を示す説明図。
【図６】本発明のガス管路遮断工法における注入量制御手段の一例を示す説明図。
【符号の説明】
１    挟持具
１０  クランプハンドル
１１  挟持体
１２  挿入穴
１３  取り付け穴
１４  ヒンジ部
１５  弾性クリップ
２    穿孔・注入具
２０  接続部
２１  バルブ部
２２  取り付け部
２３  穿孔刃
２４  流入路
【図１】
0004780841.tif 000002
【図２】
0004780841.tif 000003
【図３】
0004780841.tif 000004
【図４】
0004780841.tif 000005
【図５】
0004780841.tif 000006
【図６】
0004780841.tif 000007